【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】
【請求項１】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線と実質的に平行な方向に伸びている第１部分、前記第１部分の一端から斜めに延長されている第２部分、及び前記第１部分の前記一端から斜めに延長されている第３部分を含む突起パターンと、
前記第１基板と前記第２基板のうちの１つに形成されており、前記ゲート線と実質的に平行な方向に伸びている第４部分を含むドメイン分割手段と、
前記第１基板と前記第１偏光板との間または前記第２基板と前記第２偏光板との間に配置されている二軸性補償フィルムと、
を含む液晶表示装置。
【請求項２】
前記突起パターンは、前記第２部分と実質的に平行な第５部分と、前記第３部分と実質的に平行な第６部分とを含むことを特徴とする請求項１に記載の液晶表示装置。
【請求項３】
前記突起パターンは、前記第５部分から延長された第７部分と、前記第６部分から延長された第８部分とを含み、前記第７部分と前記第８部分は前記ゲート線と実質的に垂直になる方向に伸びていることを特徴とする請求項２に記載の液晶表示装置。
【請求項４】
前記第７部分と前記第８部分は、前記画素電極の少なくとも一辺と重なっていることを特徴とする請求項３に記載の液晶表示装置。
【請求項５】
前記突起パターンは前記共通電極上に形成されており、前記ドメイン分割手段は前記画素電極上に形成されている突起パターンであることを特徴とする請求項４に記載の液晶表示装置。
【請求項６】
前記第１部分と前記第４部分は互いに平行であり、実質的に１つの直線に沿って配置されていることを特徴とする請求項１に記載の液晶表示装置。
【請求項７】
前記突起パターンは前記共通電極上に形成されており、前記ドメイン分割手段は前記画素電極上に形成されている突起パターンであることを特徴とする請求項６に記載の液晶表示装置。
【請求項８】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線に対して斜めの方向に伸びている第１部分と、前記第１部分の一端から斜めの方向に伸びている第２部分とを含む突起パターンと、
前記第１基板と前記第２基板のうちの１つに形成されており、前記ゲート線と実質的に平行な方向に伸びている第３部分を含むドメイン分割手段と、
前記第１基板と前記第１偏光板との間または前記第２基板と前記第２偏光板との間に配置されている二軸性補償フィルムと、
を含むことを特徴とする液晶表示装置。
【請求項９】
前記第１部分は前記第２部分と共に横転Ｖ字状をなすことを特徴とする請求項８に記載の液晶表示装置。
【請求項１０】
前記突起パターンは前記第１部分から延長された第４部分と前記第２部分から延長された第５部分とを含み、前記第４部分と前記第５部分は前記ゲート線と実質的に垂直になる方向に伸びていることを特徴とする請求項８に記載の液晶表示装置。
【請求項１１】
前記突起パターンは前記第１部分と実質的に平行な第６部分と前記第２部分と実質的に平行な第７部分とを含むことを特徴とする請求項１０に記載の液晶表示装置。
【請求項１２】
前記突起パターンは前記第６部分から延長された第８部分と前記第７部分から延長された第９部分とを含み、前記第８部分と前記第９部分は前記ゲート線と実質的に垂直になる方向に伸びていることを特徴とする請求項１１に記載の液晶表示装置。
【請求項１３】
前記第４部分と前記第５部分は前記画素電極の少なくとも一辺と重なっていることを特徴とする請求項１２に記載の液晶表示装置。
【請求項１４】
前記第８部分と前記第９部分は前記画素電極の少なくとも一辺と重なっていることを特徴とする請求項１２に記載の液晶表示装置。
【請求項１５】
前記突起パターンは前記共通電極上に形成されており、前記ドメイン分割手段は前記画素電極上に形成されている突起パターンであることを特徴とする請求項１４に記載の液晶表示装置。
【請求項１６】
前記突起パターンは前記第１部分と実質的に平行な第６部分と前記第２部分と実質的に平行な第７部分とを含むことを特徴とする請求項８に記載の液晶表示装置。
【請求項１７】
前記突起パターンは前記第６部分から延長された第８部分と前記第７部分から延長された第９部分とを含み、前記第８部分と前記第９部分は前記ゲート線と実質的に垂直になる方向に伸びていることを特徴とする請求項１６に記載の液晶表示装置。
【請求項１８】
前記第８部分と前記第９部分は前記画素電極の少なくとも一辺と重なっていることを特徴とする請求項１７に記載の液晶表示装置。
【請求項１９】
前記突起パターンは前記共通電極上に形成されており、前記ドメイン分割手段は前記画素電極上に形成されている突起パターンであることを特徴とする請求項１８に記載の液晶表示装置。
【請求項２０】
前記突起パターンは前記共通電極上に形成されており、前記ドメイン分割手段は前記画素電極上に形成されている突起パターンであることを特徴とする請求項８に記載の液晶表示装置。
【請求項２１】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線と実質的に平行な方向に伸びている第１部分、前記第１部分の一端から斜めに延長されている第２部分、前記第１部分の前記一端から斜めに延長されている第３部分、前記第２部分から延長されている第４部分、及び前記第３部分から延長されている第５部分を含む突起パターンと、
前記第１基板と前記第２基板のうちの１つに形成されており、前記ゲート線と実質的に平行な方向に伸びている第６部分を含むドメイン分割手段と、
前記第１基板と前記第１偏光板との間または前記第２基板と前記第２偏光板との間に配置されている二軸性補償フィルムと、
を含み、前記第４部分と前記第５部分は前記ゲート線と実質的に垂直になる方向に伸びていることを特徴とする液晶表示装置。
【請求項２２】
前記第４部分と前記第５部分は前記画素電極の少なくとも一辺と重なっていることを特徴とする請求項２１に記載の液晶表示装置。
【請求項２３】
前記突起パターンは前記第２部分と実質的に平行な第７部分と、前記第３部分と実質的に平行な第８部分とを含むことを特徴とする請求項２２に記載の液晶表示装置。
【請求項２４】
前記突起パターンは前記第７部分から延長された第９部分と、前記第８部分から延長された第１０部分とを含むことを特徴とする請求項２３に記載の液晶表示装置。
【請求項２５】
前記第９部分と前記第１０部分は前記ゲート線と実質的に垂直になる方向に伸びていることを特徴とする請求項２４に記載の液晶表示装置。
【請求項２６】
前記第１部分と前記第６部分は互いに平行であり、実質的に１つの直線に沿って配置されていることを特徴とする請求項２４に記載の液晶表示装置。
【請求項２７】
前記突起パターンは前記共通電極上に形成されており、前記ドメイン分割手段は前記画素電極上に形成されている突起パターンであることを特徴とする請求項２４に記載の液晶表示装置。
【請求項２８】
前記突起パターンは前記共通電極上に形成されており、前記ドメイン分割手段は前記画素電極上に形成されている突起パターンであることを特徴とする請求項２１に記載の液晶表示装置。
【請求項２９】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線と実質的に平行な方向に伸びている第１部分、前記第１部分の一端から斜めに延長されている第２部分、及び前記第１部分の前記一端から斜めに延長されている第３部分を含む突起パターンと、
前記第１基板と前記第２基板のうちの１つに形成されており、前記第２部分と実質的に平行な方向に伸びている第４部分と、前記第３部分と実質的に平行な方向に伸びている第５部分とを含むドメイン分割手段と、また
前記第１基板と前記第１偏光板との間または前記第２基板と前記第２偏光板との間に配置されている二軸性補償フィルムと
を含むことを特徴とする液晶表示装置。
【請求項３０】
前記突起パターンは前記第２部分と実質的に平行な第６部分と、前記第３部分と実質的に平行な第７部分とを含むことを特徴とする請求項２９に記載の液晶表示装置。
【請求項３１】
前記突起パターンは前記第６部分から延長された第８部分と、前記第７部分から延長された第９部分とを含み、前記第８部分と前記第９部分は前記ゲート線と実質的に垂直になる方向に伸びていることを特徴とする請求項３０に記載の液晶表示装置。
【請求項３２】
前記第８部分と前記第９部分は前記画素電極の少なくとも一辺と重なっていることを特徴とする請求項３１に記載の液晶表示装置。
【請求項３３】
前記突起パターンと前記ドメイン分割手段は相互交互に配置されていることを特徴とする請求項３２に記載の液晶表示装置。
【請求項３４】
前記突起パターンは前記共通電極上に形成されており、前記ドメイン分割手段は前記画素電極上に形成されている突起パターンであることを特徴とする請求項３３に記載の液晶表示装置。
【請求項３５】
前記突起パターンと前記ドメイン分割手段は相互交互に配置されていることを特徴とする請求項２９に記載の液晶表示装置。
【請求項３６】
前記突起パターンは前記共通電極上に形成されており、前記ドメイン分割手段は前記画素電極上に形成されている突起パターンであることを特徴とする請求項３５に記載の液晶表示装置。
【請求項３７】
前記第２部分は前記第３部分と共に横転Ｖ字状をなすことを特徴とする請求項２９に記載の液晶表示装置。
【請求項３８】
前記突起パターンと前記ドメイン分割手段は前記第１部分と実質的に平行な１つの線に対して対称をなすことを特徴とする請求項２９に記載の液晶表示装置。
【請求項３９】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線に対して斜めの方向に伸びている第１部分、前記第１部分の一端から斜めの方向に伸びている第２部分、前記第１部分から延長されている第３部分、及び前記第２部分から延長されている第４部分を含む突起パターンと、
前記第１基板と前記第２基板のうちの１つに形成されており、前記第２部分と実質的に平行な方向に伸びている第５部分と、前記第３部分と実質的に平行な方向に伸びている第６部分とを含むドメイン分割手段と、
前記第１基板と前記第１偏光板との間または前記第２基板と前記第２偏光板との間に配置されている二軸性補償フィルムと、
を含み、前記第３部分及び前記第４部分は前記ゲート線に対して実質的に垂直になる方向に伸びており、前記第３部分及び前記第４部分は前記第１部分と前記第２部分から遠くなるほど幅が狭くなることを特徴とする液晶表示装置。
【請求項４０】
前記突起パターンは前記第１部分と実質的に平行な第７部分と、前記第２部分と実質的に平行な第８部分とを含むことを特徴とする請求項３９に記載の液晶表示装置。
【請求項４１】
前記突起パターンは前記第７部分から延長された第９部分と、前記第８部分から延長された第１０部分とを含み、前記第９部分と前記第１０部分は前記ゲート線と実質的に垂直になる方向に伸びていることを特徴とする請求項４０に記載の液晶表示装置。
【請求項４２】
前記第９部分と前記第１０部分は前記画素電極の少なくとも一辺と重なっていることを特徴とする請求項４１に記載の液晶表示装置。
【請求項４３】
前記突起パターンは前記共通電極上に形成されており、前記ドメイン分割手段は前記画素電極上に形成されている突起パターンであることを特徴とする請求項４２に記載の液晶表示装置。
【請求項４４】
前記突起パターンは前記共通電極上に形成されており、前記ドメイン分割手段は前記画素電極上に形成されている突起パターンであることを特徴とする請求項３９に記載の液晶表示装置。
【請求項４５】
前記第１部分は前記第２部分と共に横転Ｖ字状をなすことを特徴とする請求項３９に記載の液晶表示装置。
【請求項４６】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線と実質的に平行な方向に伸びている第１部分、前記第１部分の一端から斜めに延長されている第２部分、前記第１部分の前記一端から斜めに延長されている第３部分、前記第２部分から延長された第４部分、及び前記第３部分から延長された第５部分を含む突起パターンと、
前記第１基板と前記第２基板のうちの１つに形成されており、前記第２部分と実質的に平行な方向に伸びている第６部分と、前記第３部分と実質的に平行な方向に伸びている第７部分とを含むドメイン分割手段と、
前記第１基板と前記第１偏光板との間または前記第２基板と前記第２偏光板との間に配置されている二軸性補償フィルムと、
を含むことを特徴とする液晶表示装置。
【請求項４７】
前記第４部分と前記第５部分は前記画素電極の少なくとも一辺と重なっていることを特徴とする請求項４６に記載の液晶表示装置。
【請求項４８】
前記突起パターンは前記第２部分と実質的に平行な第８部分と、前記第３部分と実質的に平行な第９部分とを含むことを特徴とする請求項４７に記載の液晶表示装置。
【請求項４９】
前記突起パターンは前記第８部分から延長された第１０部分と、前記第９部分から延長された第１１部分とを含み、前記第１０部分と前記第１１部分は前記ゲート線と実質的に垂直になる方向に伸びていることを特徴とする請求項４８に記載の液晶表示装置。
【請求項５０】
前記突起パターンは前記共通電極上に形成されており、前記ドメイン分割手段は前記画素電極上に形成されている突起パターンであることを特徴とする請求項４９に記載の液晶表示装置。
【請求項５１】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線と実質的に平行な方向に伸びている第１部分、前記第１部分の一端から斜めに延長されている第２部分、及び前記第１部分の前記一端から斜めに延長されている第３部分を含む突起パターンと、
前記第１基板と前記第２基板のうちの１つに形成されており、前記ゲート線と実質的に平行な方向に伸びている第４部分、前記第２部分と実質的に平行な方向に伸びている第５部分、及び前記第３部分と実質的に平行な方向に伸びている第６部分を含むドメイン分割手段と、
前記第１基板と前記第１偏光板との間または前記第２基板と前記第２偏光板との間に配置されている二軸性補償フィルムと、
を含むことを特徴とする液晶表示装置。
【請求項５２】
前記突起パターンは前記第２部分と実質的に平行な第７部分と、前記第３部分と実質的に平行な第８部分とを含むことを特徴とする請求項５１に記載の液晶表示装置。
【請求項５３】
前記突起パターンは前記第７部分から延長された第９部分と、前記第８部分から延長された第１０部分とを含み、前記第９部分と前記第１０部分は前記ゲート線と実質的に垂直になる方向に伸びていることを特徴とする請求項５２に記載の液晶表示装置。
【請求項５４】
前記第９部分と前記第１０部分は前記画素電極の少なくとも一辺と重なっていることを特徴とする請求項５３に記載の液晶表示装置。
【請求項５５】
前記突起パターンと前記ドメイン分割手段は相互交互に配置されていることを特徴とする請求項５４に記載の液晶表示装置。
【請求項５６】
前記突起パターンは前記共通電極上に形成されており、前記ドメイン分割手段は前記画素電極上に形成されている突起パターンであることを特徴とする請求項５５に記載の液晶表示装置。
【請求項５７】
前記突起パターンと前記ドメイン分割手段は相互交互に配置されていることを特徴とする請求項５１に記載の液晶表示装置
【請求項５８】
前記突起パターンは前記共通電極上に形成されており、前記ドメイン分割手段は前記画素電極上に形成されている突起パターンであることを特徴とする請求項５７に記載の液晶表示装置。
【請求項５９】
前記第１部分と前記第４部分は互いに平行であり、実質的に１つの直線に沿って配置されていることを特徴とする請求項５１に記載の液晶表示装置。
【請求項６０】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線に対して斜めの方向に伸びている第１部分と、前記第１部分の一端から斜めの方向に伸びている第２部分とを含む突起パターンと、
前記第１基板と前記第２基板のうちの１つに形成されており、前記ゲート線と実質的に平行な方向に伸びている第３部分、前記第１部分と実質的に平行な第４部分、前記第２部分と実質的に平行な第５部分を含むドメイン分割手段と、
前記第１基板と前記第１偏光板との間または前記第２基板と前記第２偏光板との間に配置されている二軸性補償フィルムと、
を含むことを特徴とする液晶表示装置。
【請求項６１】
前記突起パターンは前記第１部分から延長された第６部分と、前記第２部分から延長された第７部分とを含み、前記第６部分と前記第７部分は前記ゲート線と実質的に垂直になる方向に伸びていることを特徴とする請求項６０に記載の液晶表示装置。
【請求項６２】
前記突起パターンは前記第１部分と実質的に平行な第８部分と、前記第２部分と実質的に平行な第９部分とを含むことを特徴とする請求項６１に記載の液晶表示装置。
【請求項６３】
前記突起パターンは前記第８部分から延長された第１０部分と、前記第９部分から延長された第１１部分とを含み、前記第１０部分と前記第１１部分は前記ゲート線と実質的に垂直になる方向に伸びていることを特徴とする請求項６２に記載の液晶表示装置。
【請求項６４】
前記第１０部分と前記第１１部分は前記画素電極の少なくとも一辺と重なっていることを特徴とする請求項６３に記載の液晶表示装置。
【請求項６５】
前記第６部分と前記第７部分は前記画素電極の少なくとも一辺と重なっていることを特徴とする請求項６３に記載の液晶表示装置。
【請求項６６】
前記突起パターンと前記ドメイン分割手段は相互交互に配置されていることを特徴とする請求項６５に記載の液晶表示装置。
【請求項６７】
前記突起パターンは前記共通電極上に形成されており、前記ドメイン分割手段は前記画素電極上に形成されている突起パターンであることを特徴とする請求項６６に記載の液晶表示装置。
【請求項６８】
前記突起パターンは前記第１部分と実質的に平行な第８部分と、前記第２部分と実質的に平行な第９部分とを含むことを特徴とする請求項６０に記載の液晶表示装置。
【請求項６９】
前記突起パターンは前記第８部分から延長された第１０部分と、前記第９部分から延長された第１１部分とを含み、前記第１０部分と前記第１１部分は前記ゲート線と実質的に垂直になる方向に伸びていることを特徴とする請求項６８に記載の液晶表示装置。
【請求項７０】
前記第１０部分と前記第１１部分は前記画素電極の少なくとも一辺と重なっていることを特徴とする請求項６９に記載の液晶表示装置。
【請求項７１】
前記突起パターンと前記ドメイン分割手段は相互交互に配置されていることを特徴とする請求項７０に記載の液晶表示装置。
【請求項７２】
前記突起パターンは前記共通電極上に形成されており、前記ドメイン分割手段は前記画素電極上に形成されている突起パターンであることを特徴とする請求項７１に記載の液晶表示装置。
【請求項７３】
前記突起パターンと前記ドメイン分割手段は相互交互に配置されていることを特徴とする請求項６０に記載の液晶表示装置。
【請求項７４】
前記突起パターンは前記共通電極上に形成されており、前記ドメイン分割手段は前記画素電極上に形成されている突起パターンであることを特徴とする請求項７３に記載の液晶表示装置。
【請求項７５】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記第１基板と前記第２基板のうちの１つに形成されており、前記ゲート線と実質的に平行な方向に伸びている第１部分、前記第１部分の一端から斜めに延長されている第２部分、前記第１部分の前記一端から斜めに延長されている第３部分、前記第２部分から延長されている第４部分、及び前記第３部分から延長されている第５部分を含み、前記第４部分及び前記第５部分は前記ゲート線に対して実質的に垂直になる方向に伸びている突起パターンと、
前記第１基板と前記第２基板のうちの１つに形成されており、前記ゲート線と実質的に平行な方向に伸びている第６部分、前記第２部分と実質的に平行な第７部分、及び前記第３部分と実質的に平行な第８部分を含むドメイン分割手段と、また
前記第１基板と前記第１偏光板との間または前記第２基板と前記第２偏光板との間に配置されている二軸性補償フィルムと
を含むことを特徴とする液晶表示装置。
【請求項７６】
前記第４部分と前記第５部分は前記画素電極の少なくとも一辺と重なっていることを特徴とする請求項７５に記載の液晶表示装置。
【請求項７７】
前記突起パターンは前記第２部分と実質的に平行な第９部分と、前記第３部分と実質的に平行な第１０部分とを含むことを特徴とする請求項７６に記載の液晶表示装置。
【請求項７８】
前記突起パターンは前記第９部分から延長された第１１部分と、前記第１０部分から延長された第１２部分とを含み、前記第１１部分と前記第１２部分は前記ゲート線と実質的に垂直になる方向に伸びていることを特徴とする請求項７７に記載の液晶表示装置。
【請求項７９】
前記第１１部分と前記第１２部分は前記画素電極の少なくとも一辺と重なっていることを特徴とする請求項７８に記載の液晶表示装置。
【請求項８０】
前記突起パターンと前記ドメイン分割手段は相互交互に配置されていることを特徴とする請求項７９に記載の液晶表示装置。
【請求項８１】
前記突起パターンは前記共通電極上に形成されており、前記ドメイン分割手段は前記画素電極上に形成されている突起パターンであることを特徴とする請求項８０に記載の液晶表示装置。
【請求項８２】
前記突起パターンと前記ドメイン分割手段は相互交互に配置されていることを特徴とする請求項７５に記載の液晶表示装置。
【請求項８３】
前記突起パターンは前記共通電極上に形成されており、前記ドメイン分割手段は前記画素電極上に形成されている突起パターンであることを特徴とする請求項８２に記載の液晶表示装置。
【請求項８４】
前記第１部分と前記第６部分は互いに平行であり、１つの直線に沿って配置されていることを特徴とする請求項７５に記載の液晶表示装置。
【請求項８５】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、
前記共通電極上に形成されており、第１突起、第２突起、及び第３突起を含み、前記第１突起は前記ゲート線と実質的に平行な方向に伸びている第１部分、前記第１部分の一端から斜めに延長されている第２部分、前記第１部分の前記一端から斜めに延長されている第３部分、前記第２部分から延長されている第４部分、及び前記第３部分から延長されている第５部分を含み、前記第２突起は前記第２部分と平行な第６部分と前記第６部分から伸びて出た第７部分を含み、前記第３突起は前記第３部分と平行な第８部分と前記第８部分から伸びて出た第９部分を含む突起パターンと、
前記画素電極に配置されており、少なくとも１つの切開部を含み、前記切開部は前記ゲート線と実質的に平行な第１０部分、前記第２部分と実質的に平行な第１１部分、及び前記第３部分と実質的に平行な第１２部分を含むドメイン分割手段と、
前記第１基板と前記第１偏光板との間または前記第２基板と前記第２偏光板との間に配置されている二軸性補償フィルムと、
を含み、前記第４部分、前記第５部分、前記第７部分、及び前記第９部分は前記ゲート線と実質的に垂直になる方向に伸びていることを特徴とする液晶表示装置。
【請求項８６】
前記第４部分、前記第５部分、前記第７部分、及び前記第９部分は前記画素電極の少なくとも一辺と重なっていることを特徴とする請求項８５に記載の液晶表示装置。
【請求項８７】
前記第１部分と前記第１０部分は互いに平行であり、１つの直線に沿って配置されていることを特徴とする請求項８５に記載の液晶表示装置。
【請求項８８】
前記第２部分は前記第３部分と共に横転Ｖ字状をなすことを特徴とする請求項８５に記載の液晶表示装置。
【請求項８９】
第１基板と、
前記第１基板の外側に配置されている第１偏光板と、
前記第１基板上に形成されているゲート線と、
前記第１基板上に形成されている画素電極と、
前記第１基板と対向する第２基板と、
前記第２基板の外側に配置されている第２偏光板と、
前記第２基板上に形成されている共通電極と、また
前記第１基板と前記第２基板のうちの１つに形成されており、前記ゲート線と実質的に平行な方向に伸びている第１部分、前記第１部分の一端から斜めに延長されている第２部分、及び前記第１部分の前記一端から斜めに延長されている第３部分を含む突起パターンと
を含み、
前記第１偏光板の偏光方向と前記第２偏光板の偏光方向は実質的に垂直であることを特徴とする液晶表示装置。
【請求項９０】
前記突起パターンは前記第２部分と実質的に平行な第４部分と、前記第３部分と実質的に平行な第５部分とを含むことを特徴とする請求項８９に記載の液晶表示装置。
【請求項９１】
前記突起パターンは前記第４部分から延長された第６部分と、前記第５部分から延長された第７部分とを含み、前記第６部分と前記第７部分は前記ゲート線と実質的に垂直になる方向に伸びていることを特徴とする請求項９０に記載の液晶表示装置。
【請求項９２】
前記第６部分と前記第７部分は前記画素電極の少なくとも一辺と重なっていることを特徴とする請求項９１に記載の液晶表示装置。
【請求項９３】
前記第２部分は前記第３部分と実質的に９０度の角度をなすことを特徴とする請求項８９に記載の液晶表示装置。